(57)【要約】【課題】無駄に電力を消費する放電回路を設けなくても、不慮の停電等による電源異常が生じた場合に、電源供給が必要な不揮発メモリーへの電源を確保することができ、さらには不揮発メモリーへの速やかな電源遮断を実現する。【解決手段】主電源供給部５１の電圧が基準電圧を超える場合、High信号を電源制御部６１に出力し、主電源供給部５１の電圧が基準電圧を超えない場合、Low信号を電源制御部６１に出力する電圧監視部６２を備え、電源制御部６１が、電圧監視部６２からのLow信号を受信すると、スイッチＳＷ１についてはオフにするのに対し、スイッチＳＷ２については、Low信号を受信してから予め定められた時間が経過するまではオフにしない。【選択図】図２
2017184192.tif 000002
【特許請求の範囲】
【請求項１】
第１負荷と第２負荷が動作するために必要な電源を供給する主電源供給部と、
前記主電源供給部と前記第１負荷とを結ぶ電源供給ラインに設けられた第１スイッチと、
前記第１スイッチと前記第１負荷との間の前記電源供給ラインに、第２スイッチを介して接続された、前記主電源供給部から出力される電力を蓄える電力保持部と、
前記第１スイッチ及び前記第２スイッチのオン・オフを制御する電源制御部と、
前記主電源供給部の電圧を監視し、前記主電源供給部の電圧が予め定められた基準電圧以上である場合に、第１信号を前記電源制御部に出力し、前記主電源供給部の電圧が前記基準電圧を超えない場合には、第２信号を前記電源制御部に出力する電源監視部とを備え、
前記主電源供給部と前記第１スイッチとの間の前記電源供給ラインに前記第２負荷が接続され、
前記電源制御部は、
前記電源監視部からの前記第２信号を受信すると、前記第１スイッチを前記第２信号の受信時にオフとし、
前記第２スイッチを、前記第２信号を受信してから予め定められた時間が経過するまではオフにしない電子機器。
【請求項２】
前記電源制御部は、前記第２信号を受信してから前記予め定められた時間が経過し、さらには前記電源監視部からの前記第１信号を受信すると、前記第２スイッチを一旦オフにした後に、前記第１スイッチ及び前記第２スイッチをオンにする請求項１に記載の電子機器。
【請求項３】
前記電源制御部は、本電子機器を省エネモードへ移行させるとき、前記第２スイッチをオフにしてから、前記第１スイッチをオフにする請求項１又は請求項２に記載の電子機器。
【請求項４】
前記電源制御部は、本電子機器を省エネモードから通常モードへ復帰させるとき、前記第１スイッチをオンにしてから、前記第２スイッチをオンにする請求項３に記載の電子機器。
【請求項５】
前記第１負荷が不揮発メモリーであり、
前記第２負荷が複数の負荷からなり、そのうちの一つが、前記不揮発メモリーへの書き込みを行う処理部である請求項１乃至請求項４のいずれかに記載の電子機器。
【請求項６】
記録媒体に画像を形成する画像形成部と、
請求項１乃至請求項５のいずれかに記載の電子機器と、を備えた画像形成装置。
【発明の詳細な説明】
【技術分野】
【０００１】
本発明は、電子機器及び画像形成装置に関し、特に、電源異常に対処する技術に関する。
【背景技術】
【０００２】
電子機器の一例としての画像形成装置には、画像形成に必要な印刷位置や各種補正情報、ならびに印刷枚数や内部構成部品の寿命に関する情報など、プログラム以外に保持すべき情報がある。そして、それら情報はハードディスクやフラッシュメモリーなどの不揮発メモリーに保持されている。不揮発メモリーにはＮＯＲ型、ＮＡＮＤ型といったフラッシュメモリーを使用するのが一般的であり、電気的に書き込みや消去を行うことができる。
【０００３】
ところで、不揮発メモリーに対する書き込みや消去を行っている間に、不揮発メモリーに供給される電源が遮断されるとこれら処理が正しく行えず、保持すべき情報が失われてしまう。
【０００４】
画像形成装置の全体を統括制御するＣＰＵ（Central Processing Unit）が書き込みや消去のコマンドを不揮発メモリーに入力した後は、これら処理は不揮発メモリー内部で自動的に行われるため、ＣＰＵ側に供給される電源がオフになっても問題はないが、不揮発メモリー側に供給される電源については処理が完了するまで保持する必要がある。
【先行技術文献】
【特許文献】
【０００５】
【特許文献１】特開２０１１−２３８１０８号公報
【特許文献２】特開２００２−２５８６８７号公報
【発明の概要】
【発明が解決しようとする課題】
【０００６】
上記処理には数ミリ秒から数百ミリ秒といった時間が必要で、電荷を蓄積する電子デバイス（キャパシターなど）を不揮発メモリーの電源回路部に追加し、必要な時間分の電荷を蓄えるようにすることで、不慮の停電等による電源の遮断に対応するのが一般的である。例えば、上記特許文献１には、サブ電源を設けて、メイン電源に異常が発生した際に、サブ電源を電源供給元として利用することが記載されている。
【０００７】
画像形成装置には、省エネモードがあり、省エネモードにおいては、不揮発メモリーを含めて電源を遮断して電力消費を抑える必要があるとともに、省エネモードへの移行及び通常モードへの復帰は速やかに行う必要がある。
【０００８】
しかしながら、上記のような構成では、キャパシターに蓄えられている電荷の放電が完了するまで、不揮発メモリーの電源を遮断することができず、省エネモードへの速やかな移行ができない。
【０００９】
そのため、キャパシターに蓄えられている電荷を放電するための放電回路が新たに必要となる。例えば、上記特許文献２には、放電回路を設けて、制御ボードの電圧低下を速めることが記載されている。しかしながら、放電回路を設けることは、無駄に電力を消費するという課題がある。
【００１０】
本発明は、上記の事情に鑑みなされたものであり、放電回路により無駄に電力を消費することなく、不慮の停電等による電源異常が生じた場合に、電源供給が必要な負荷（例えば、不揮発メモリー）への電源を確保でき、さらには当該負荷への速やかな電源遮断も実現可能にすることを目的とする。
【課題を解決するための手段】
【００１１】
本発明の一局面に係る電子機器は、第１負荷と第２負荷が動作するために必要な電源を供給する主電源供給部と、前記主電源供給部と前記第１負荷とを結ぶ電源供給ラインに設けられた第１スイッチと、前記第１スイッチと前記第１負荷との間の前記電源供給ラインに、第２スイッチを介して接続された、前記主電源供給部から出力される電力を蓄える電力保持部と、前記第１スイッチ及び前記第２スイッチのオン・オフを制御する電源制御部と、前記主電源供給部の電圧を監視し、前記主電源供給部の電圧が予め定められた基準電圧以上である場合に、第１信号を前記電源制御部に出力し、前記主電源供給部の電圧が前記基準電圧を超えない場合には、第２信号を前記電源制御部に出力する電源監視部とを備え、前記主電源供給部と前記第１スイッチとの間の前記電源供給ラインに前記第２負荷が接続され、前記電源制御部は、前記電源監視部からの前記第２信号を受信すると、前記第１スイッチを前記第２信号の受信時にオフとし、前記第２スイッチを、前記第２信号を受信してから予め定められた時間が経過するまではオフにしないものである。
【００１２】
本発明の一局面に係る画像形成装置は、記録媒体に画像を形成する画像形成部と、上記電子機器と、を備えたるものである。
【発明の効果】
【００１３】
第１負荷（例えば、不揮発メモリー）に接続された電力保持部を備えるので、主電源供給部の電圧が基準電圧を超えない場合、例えば電源異常が発生した場合でも、第１負荷に電源を供給することができる。
【００１４】
また、第１負荷は、第２スイッチを介して電力保持部に接続されているが、電源異常が発生してから予め定められた時間までは第２スイッチはオフにされないので、第１負荷に対して一定時間は電源を供給することができる。
【００１５】
また、電源異常が発生した場合、第１スイッチがオフにされ、電力保持部と第２負荷（例えば、ＣＰＵ）とが分離されるので、電源供給の必要の無い第２負荷で電力保持部の電力を消費されないようにすることができる。
【００１６】
さらに、第１負荷は、主電源供給部及び電力保持部とそれぞれ第１スイッチ、第２スイッチを介して接続されているので、第１スイッチ及び第２スイッチをオフにすれば、主電源供給部及び電力保持部と分離することができる。これより、電力保持部に対する放電回路を設けなくても、第１負荷への速やかな電源遮断を実現することができる。
【図面の簡単な説明】
【００１７】
【図１】本発明の第１実施形態に係る画像形成装置の主要内部構成を概略的に示した機能ブロック図である。
【図２】画像形成装置の電源系統の一例を示した電源系統図である。
【図３】電源系統部におけるタイミングチャートの一例を示した図である。
【図４】電源系統部におけるタイミングチャートの一例を示した図である。
【図５】電源系統部におけるタイミングチャートの一例を示した図である。
【発明を実施するための形態】
【００１８】
以下、本発明の一実施形態に係る電子機器及び画像形成装置について図面を参照して説明する。図１は、本発明の第１実施形態に係る画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、省エネ制御部１５、操作部４７、ファクシミリ通信部７１、及びネットワークインターフェイス部９１を含んで構成されている。
【００１９】
原稿給送部６は、読取対象の原稿を原稿読取部５へ給送する。
【００２０】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。原稿読取部５による当該原稿読取で得られた画像データは画像メモリー３２に記憶される。
【００２１】
画像形成部１２は、印刷すべき画像のトナー像を用紙（記録媒体）上に形成する。
【００２２】
画像メモリー３２は、原稿読取部５による読み取りで得られた原稿の画像データを一時的に記憶したり、画像形成部１２のプリント対象となるデータを一時的に保存したりするための領域である。なお、画像メモリー３２は、特許請求の範囲における画像データ記憶部の一例となる。
【００２３】
ＨＤＤ９２は、原稿読取部５によって読み取られた原稿画像等を記憶する大容量の記憶装置である。
【００２４】
定着部１３は、用紙上のトナー像を、熱圧着により用紙に定着させる。
【００２５】
給紙部１４は、給紙カセット（図示せず）を備え、給紙カセットに収容された用紙をピックアップして搬送する。
【００２６】
省エネ制御部１５は、画像形成装置１の電源を制御し、通常モードと省エネモードとの移行を制御し、さらには不慮の停電等による電源異常が生じた場合の電源制御も行う。
【００２７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２８】
ファクシミリ通信部７１は、図示しない符号化・複合化部、変復調部、及びＮＣＵ（Network Control Unit）等を備え、公衆電話回線網を用いてのファクシミリの通信を行うものである。
【００２９】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（ＰＣ）等の外部装置２０と種々のデータの送受信を行うものである。
【００３０】
制御ユニット１０は、ＣＰＵ、ＲＡＭ（Random Access Memory）、ＲＯＭ（Read Only Memory）、不揮発メモリー、及び専用のハードウェア回路を含んで構成される。制御ユニット１０は、制御部１００を備えている。
【００３１】
制御ユニット１０は、ＨＤＤ９２にインストールされている制御プログラムに従った動作により、制御部１００として機能するものである。但し、制御部１００は、制御ユニット１０による制御プログラムに従った動作によらず、それぞれハードウェア回路により構成することも可能である。以下、特に触れない限り、各実施形態について同様である。
【００３２】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、省エネ制御部１５、操作部４７、ファクシミリ通信部７１、及びネットワークインターフェイス部９１と接続され、これら各部の駆動制御を行う。例えば、制御部１００は、省エネモード移行の条件（例えば、画像形成装置１が一定時間使用されない）が成立すると、省エネモードへの移行を示す信号を省エネ制御部１５に対して送信する。
【００３３】
図２は、画像形成装置１の電源系統の一例を示した電源系統図である。主電源供給部５１は、商用交流電源から低電圧直流電源へ変換するものであり、主電源供給部５１と不揮発メモリー５２とを結ぶ電源供給ラインＬ１には、電圧変換部５３及びＦＥＴ（電界効果トランジスタ）で構成されるスイッチＳＷ１が設けられている。なお、スイッチＳＷ１は、特許請求の範囲における第１スイッチの一例となる。
【００３４】
不揮発メモリー５２は、ＣＰＵ５４からの指示によって、画像形成に必要な印刷位置や各種補正情報、ならびに印刷枚数や内部構成部品の寿命に関する情報などを記憶する。なお、不揮発メモリー５２は、特許請求の範囲における第１負荷の一例であり、ＣＰＵ５４は、特許請求の範囲における第２負荷の一例となる。
【００３５】
電圧変換部５３とスイッチＳＷ１との間の電源供給ラインＬ１には、制御ユニット１０を構成するＲＡＭ５５やＣＰＵ５４などが接続され、主電源供給部５１と電圧変換部５３との間の電源供給ラインＬ１には、電圧変換部５３とは異なる大きさの電圧に変換する電圧変換部５６を介して、画像読取部５や画像形成部１２などが接続されている。なお、画像読取部５、画像形成部１２、及びＲＡＭ５５は、特許請求の範囲における第２負荷の一例となる。
【００３６】
また、スイッチＳＷ１と不揮発メモリー５２との間の電源供給ラインＬ１には、ＦＥＴで構成されるスイッチＳＷ２を介して、主電源供給部５１から出力される電力を蓄える比較的大容量の電力保持部５７が接続されている。電力保持部５７は主にキャパシターからなる。なお、スイッチＳＷ２は、特許請求の範囲における第２スイッチの一例となる。
【００３７】
省エネ制御部１５は、電源制御部６１と、電圧監視部６２と、キャパシターからなる小容量の電力保持部６３と、ダイオードで構成される逆流防止部６４とを備えている。また、省エネ制御部１５は、ＣＰＵ５４よりも低電圧で動作できる回路で構成され、停電等の電源異常が生じても長期間制御可能となっている。
【００３８】
電源制御部６１は、電圧変換部５３，５６、及びスイッチＳＷ１，ＳＷ２のオン・オフを制御することによって、画像形成装置１の電源を制御する。電源制御部６１は、画像形成装置１が一定時間使用されない場合にＣＰＵ５４から出力される省エネモードへの移行を示す信号（High信号）を受信し、省エネモード中に操作部４７が操作された場合に操作部４７から出力される省エネモードからの復帰を示す信号（Low信号）を受信する。
【００３９】
電圧監視部６２は、主電源供給部５１の電圧を監視するものであり、主電源供給部５１の電圧が予め定められた基準電圧Ｖ１を超える場合、電源制御部６１へHigh信号を出力し、主電源供給部５１の電圧が基準電圧Ｖ１を超えない場合、電源制御部６１へLow信号を出力する。電力保持部６３は、主電源供給部５１から出力される電力を蓄え、逆流防止部６４は、電力保持部６３に蓄えられた電力が主電源供給部５１側へ逆流するのを防止する。
【００４０】
画像形成装置１の電源がオンされて、主電源供給部５１の電圧が基準電圧Ｖ１を超えると、電圧監視部６２が電源制御部６１に対してHigh信号を出力する。電源制御部６１は、電圧監視部６２から出力されるHigh信号を受信すると、電圧変換部５３，５６及びスイッチＳＷ１，ＳＷ２をオンにする。
【００４１】
これにより、画像読取部５、画像形成部１２、ＲＡＭ５５、ＣＰＵ５４、及び不揮発メモリー５２などに電源が供給されるとともに、電力保持部５７，６３のキャパシターが充電される。なお、電源供給ラインＬ１を流れる電流が主電源供給部５１の許容値を超えないように、スイッチＳＷ１はスイッチング速度が抑えられた構成になっている。
【００４２】
図３は、画像形成装置１の電源系統部におけるタイミングチャートの一例を示した図である。なお、ここでは、停電や電源ケーブルが抜かれる等の電源異常によって、主電源供給部５１の電圧が大きく電圧低下した場合を例に挙げて説明する。
【００４３】
主電源供給部５１の電圧が低下して基準電圧Ｖ１を下回ると、電圧監視部６２が電源制御部６１へLow信号を出力する。電源制御部６１は、電圧監視部６２からの出力信号がHigh信号からLow信号に切り替わると、スイッチＳＷ１を切断することによって、ＣＰＵ５４及びＲＡＭ５５などと、不揮発メモリー５２及び電力保持部５７とを分離する。
【００４４】
また、電源制御部６１は、電圧監視部６２からのLow信号を受信してから予め定められた時間Ｔ１が経過するまでは、スイッチＳＷ２のオン状態を維持する。なお、時間Ｔ１は、不揮発メモリー５２が書き込みや消去などの処理を行うのに必要な時間であり、数ミリ秒〜数百ミリ秒に設定される。
【００４５】
主電源供給部５１の電圧低下により電圧変換部５３及び電圧変換部５６の電圧出力は共に停止するが、不揮発メモリー５２への電源電圧は、電力保持部５７のキャパシターにより電圧低下を遅らせることができる。そのため、不揮発メモリー５２が書き込みや消去などの処理を行っている最中に停電が発生したとしても、これら処理を継続することができる。また、スイッチＳＷ１の切断により、ＣＰＵ５４及びＲＡＭ５５などと、不揮発メモリー５２及び電力保持部５７とが分離されるので、電源保持の必要の無いＣＰＵ５４などに電力保持部５７の電力を消費されないようにすることができる。
【００４６】
その後、停電が回復し、主電源供給部５１の電圧が基準電圧Ｖ１を超えると、電圧監視部６２が電源制御部６１へHigh信号を出力する。電源制御部６１は、電圧監視部６２から出力されるHigh信号を受信すると、スイッチＳＷ２を一旦切断し、予め定められた時間Ｔ２が経過した後、画像形成装置１の電源がオンされたときと同じように、電圧変換部５３，５６及びスイッチＳＷ１，ＳＷ２をオンにする。スイッチＳＷ２を一旦切断するのは、この後説明する交流電源が一時的に瞬断する場合に対処するためである。
【００４７】
図４は、電源系統部におけるタイミングチャートの別の一例を示した図である。なお、ここでは、交流電源が一時的に瞬断し（ACパルスが数パルス発生しない）、主電源供給部５１の電圧は低下するが、完全には落ち切らず、電圧がすぐに回復する場合を例に挙げて説明する。
【００４８】
主電源供給部５１の電圧が低下して基準電圧Ｖ１を下回ると、電圧監視部６２が電源制御部６１へLow信号を出力する。当該主電源供給部５１の電圧低下により、電圧変換部５３及び電圧変換部５６の電圧出力は共に停止する。電源制御部６１は、電圧監視部６２からの出力信号がHigh信号からLow信号に切り替わると、スイッチＳＷ１を切断することによって、ＣＰＵ５４及びＲＡＭ５５などと、不揮発メモリー５２及び電力保持部５７とを分離する。
【００４９】
電源制御部６１は、電圧監視部６２からのLow信号を受信してから予め定められた時間Ｔ１が経過し、さらには電圧監視部６２から出力されるHigh信号を受信すると、スイッチＳＷ２を切断し、予め定められた時間Ｔ２が経過すると、電源制御部６１は、電圧変換部５３，５６及びスイッチＳＷ１，ＳＷ２をオンにする。なお、時間Ｔ２は不揮発メモリー５２の電源電圧が完全に落ち切るのに必要な時間に設定する。
【００５０】
主電源供給部５１の電圧が完全に落ち切らず、電圧がすぐに回復する場合は、図４に示したように、不揮発メモリー５２の電圧も完全に落ち切っていないことがあり、そのような状態で主電源供給部５１からの電源が再投入されてしまうと、各電子デバイスが正常に動作せず、不具合を起こすおそれがある。それを回避するために、スイッチＳＷ２を一旦切断し、不揮発メモリー５２の電源電圧を完全に落としている。
【００５１】
図５は、電源系統部におけるタイミングチャートのさらに別の一例を示した図である。なお、ここでは、通常モードから省エネモードへ移行する場合、及び省エネモードから通常モードへ復帰する場合を例に挙げて説明する。
【００５２】
省エネモードに移行させる場合、ＣＰＵ５４は不揮発メモリー５２に対する書き込み処理を終えてから、省エネ制御部１５（電源制御部６１）に対して、省エネモードへの移行を示す信号（High信号）を出力する。
【００５３】
電源制御部６１は、ＣＰＵ５４から出力されたHigh信号を受信すると、電力保持部５７で蓄えられている電荷が抜けないように、スイッチＳＷ２をオフにしてから、電圧変換部５３，５６をオフにし、その後、スイッチＳＷ１をオフにする。
【００５４】
これにより、不揮発メモリー５２と、主電源供給部５１及び電力保持部５７とが分離されるので、不揮発メモリー５２の電圧を低下させることができる。また、放電回路を設けず、電力保持部５７を自然放電させたとしても（電力保持部５７の電圧低下の速度は遅い）、不揮発メモリー５２を高速で電圧低下させることができる。従って、省エネモードへの移行を速やかに実現することができる。
【００５５】
なお、不揮発メモリー５２と繋がる電源供給ラインＬ１上に小容量のコンデンサが設けられる場合があり、このコンデンサにも電荷が蓄えられるが、電力保持部５７とは比較にならないくらいに容量が小さく、不揮発メモリー５２の電圧低下に影響は与えない。
【００５６】
また、省エネモードの間は、不揮発メモリー５２における書き込み処理は完了しており、不揮発メモリー５２の電源電圧は完全に落ちており、上記したような瞬間的な停電が生じたとしても、図４を使って説明したような、不揮発メモリー５２の電源電圧を落とすための処理は不要となる。
【００５７】
一方、省エネモードから通常モードへ復帰させる場合、操作部４７が省エネ制御部１５（電源制御部６１）に対して、省エネモードからの復帰を示す信号（Low信号）を出力する。
【００５８】
電源制御部６１は、操作部４７から出力されたLow信号を受信すると、電圧変換部５３，５６をオンにするとともにスイッチＳＷ１をオンにしてから、スイッチＳＷ２をオンにする。省エネモードに移行している時間が長い場合（電力保持部５７が大きく電圧低下している場合）に、スイッチＳＷ１よりも先にスイッチＳＷ２をオンにすると、電源電圧が低下した状態で不揮発メモリー５２に電源供給され、不具合を起こすおそれがあるためである。
【００５９】
上記第１実施形態では、不揮発メモリー５２に接続された電力保持部５７を備えるので、主電源供給部５１の電圧が基準電圧Ｖ１を超えない（電源異常が発生した）場合でも、不揮発メモリー５２に電源を供給することができる。
【００６０】
また、不揮発メモリー５２は、スイッチＳＷ２を介して電力保持部５７に接続されているが、電源異常が発生してから予め定められた時間Ｔ１まではスイッチＳＷ２はオフにされないので、不揮発メモリー５２に必要な時間、電源を供給することができる。
【００６１】
また、電源異常が発生した場合、スイッチＳＷ１がオフされ、電力保持部５７とＣＰＵ５４などとが分離されるので、電源供給の必要の無いＣＰＵ５４などで電力保持部５７の電力を消費されないようにすることができる。
【００６２】
さらに、不揮発メモリー５２は、主電源供給部５１及び電力保持部５７とそれぞれスイッチＳＷ１、スイッチＳＷ２を介して接続されているので、スイッチＳＷ１及びスイッチＳＷ２をオフにすれば、主電源供給部５１及び電力保持部５７と分離することができる。これより、電力保持部５７に対する放電回路を設けなくても、不揮発メモリー５２への速やかな電源遮断を実現することができる。
【００６３】
本発明は上記実施の形態の構成に限られず種々の変形が可能である。また、上記実施形態では、本発明に係る画像形成装置の一実施形態として複合機を用いて説明しているが、これは一例に過ぎず、他の電子機器、例えば、コピー機能、プリンター機能、スキャナー機能、ファクシミリ機能を有した他の画像形成装置でもよい。
【００６４】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００６５】
１        画像形成装置
１０      制御ユニット
１５      省エネ制御部
５１      主電源供給部
５２      不揮発メモリー
５４      ＣＰＵ
５７      電力保持部
６１      電源制御部
６２      電圧監視部
【図１】
2017184192.tif 000003
【図２】
2017184192.tif 000004
【図３】
2017184192.tif 000005
【図４】
2017184192.tif 000006
【図５】
2017184192.tif 000007